(57)【要約】      （修正有）【課題】組み込まれるときに、より小さな空間を必要とし、より少ない雑音を発生し、補正手段の振動を効果的に減衰する装置を創出する。【解決手段】エレベータかごと、釣合い重り２と、エレベータかごと釣合い重り２とを懸架する懸架手段と、懸架手段の重量の影響を補正する補正手段７と、を備えるエレベータ設備であって、この設備は、補正手段７をガイドする目的のために少なくとも一つのブラシ１２．１、１２．２を有する補正手段ガイドを備える。【選択図】図３Ａ
2005263491.tif 000002
【特許請求の範囲】
【請求項１】
・エレベータかご（１）および釣合い重り（２）と、
・エレベータ設備の上部領域に配置された少なくとも一つの綱車の上を走り、エレベータかご（１）と釣合い重り（２）とを懸架する懸架手段（４）と、
・二つのそれぞれの端部でエレベータかご（１）と釣合い重り（２）とに吊り下げられてハンギングループ（吊り下げループ）を形成する、少なくとも一つの補正手段（７）と、
・補正手段（７）の少なくとも反転部（７．１）の領域で機能する補正手段ガイド（８．１、８．２）と、
を備えるエレベータ設備であって、
補正手段ガイド（８．１、８．２）は補正手段（７）をガイドするように少なくとも一つのブラシ（１２．１、１２．２）を有することを特徴とする、エレベータ設備。
【請求項２】
補正手段ガイド（８．１、８．２）は数個のブラシ（１２．１、１２．２）を有することを特徴とする、請求項１に記載のエレベータ設備。
【請求項３】
ブラシ（１２．１、１２．２）は、補正手段の反転部（７．１）の領域において補正手段（７）の偏向を、
・補正手段の反転部（７．１）の方向に直交する方向に、および／または、
・補正手段の反転部（７．１）の方向に、および／または、
・鉛直な方向に、
制限するように配置されることを特徴とする、請求項２に記載のエレベータ設備。
【請求項４】
ブラシ（１２．１、１２．２）は、直径が０．１５ｍｍから２ｍｍまで様々であり、自由長さが５ｍｍから１００ｍｍまで様々である剛毛（１３）を備えていることを特徴とする、請求項３に記載のエレベータ設備。
【請求項５】
ブラシ（１２．１、１２．２）は、昇降路空間内に恒久的に設置されたブラシ保持器（９．１、９．２）に固定されることを特徴とする、請求項４に記載のエレベータ設備。
【請求項６】
これらのブラシのうちの少なくとも一つは、バーブラシ（ストリップブラシ）（１２．１）として構成されることを特徴とする、請求項１から５のいずれか一項に記載のエレベータ設備。
【請求項７】
これらのブラシのうちの少なくとも一つは、円筒形ブラシ（１２．２）として、または円筒形ブラシの一部として構成されることを特徴とする、請求項１から５のいずれか一項に記載のエレベータ設備。
【請求項８】
これらのブラシのうちの少なくとも一つは、円筒形ブラシ（１２．２）として構成され、またその長手方向の軸の周りに回転可能に配置されることを特徴とする、請求項１から５のいずれか一項に記載のエレベータ設備。
【請求項９】
少なくとも一つのブラシ本体とブラシ保持器（９．１、９．２）との間の連結は、ブラシ（１２．１、１２．２）が補正手段（７）からのブラシの距離に関して移動できるように構成されることを特徴とする、請求項５に記載のエレベータ設備。
【請求項１０】
ブラシ（１２．１、１２．２）の剛毛（１３）は下記の材料、
・ポリアミド、
・ポリプロピレン、
・馬の毛、
・豚の剛毛、
のうちの一つからなることを特徴とする、請求項４に記載のエレベータ設備。
【請求項１１】
ブラシ保持器は、昇降路の最下部領域において、釣合い重り（２）によって占められる空間を、昇降路空間の残り部分から分離する分離壁（９．２）によって形成されることを特徴とする、請求項５に記載のエレベータ設備。
【発明の詳細な説明】
【技術分野】
【０００１】
本発明の目的は、請求項に記載の補正手段ガイドを有するエレベータ設備である。
【背景技術】
【０００２】
エレベータ設備に関連して用語「補正手段」は、その二つの端部の各々でエレベータかごと釣合い重りに吊り下げられて補正手段のハンギングループ（吊り下がりループ）を形成する、ロープ、ベルトまたはチェーンの形をした柔軟な手段として理解されるべきである。補正手段の目的は、エレベータかごの位置に依存する懸架駆動手段（サスペンションロープ、サスペンションベルト）の重量力の、牽引綱車に必要な駆動力への影響を補正することである。
【０００３】
ロープ状の補正手段がその反転部の領域においてフレーム内に配置された複数のガイドプーリによってガイドされる補正手段のループを形成する補正手段ガイドを有するエレベータ設備は、米国特許第６，４８８，１２５号明細書によって知られている。
【０００４】
米国特許第６，４８８，１２５号明細書に開示された補正手段ガイドは、ある幾つかの欠点を有している。これは、組み込まれるときに、ある幾つかのエレベータ概念では利用できない比較的大きな空間を占める。補正手段とガイドプーリとの間に金属接触が存在すると、騒音が発生する。剛性的に支持されたプーリは、補正手段に発生する振動を減衰できない。
【特許文献１】米国特許第６，４８８，１２５号明細書
【発明の開示】
【発明が解決しようとする課題】
【０００５】
本発明の目的は、前記の欠点を持たない、特に組み込まれるときに、より小さな空間を必要とし、より少ない雑音を発生し、補正手段の振動を効果的に減衰する上記のタイプの装置を創出することである。
【課題を解決するための手段】
【０００６】
本発明によればこの目的は、請求項１に記載の措置によって達成される。本発明の有利な実施形態と更なる発展は、従属の請求項２から１１に記載されている。
【０００７】
これらの請求項によれば本発明は、ブラシの助けによって、昇降路内でエレベータかごと釣合い重りとから吊り下がる補正手段をガイドするという考えに基づいている。
【０００８】
「ブラシ」によってとは、ある仕方で形成された、剛毛すなわち小さな断面の細いバーが個々にまたは房状に固定された本体、ブラシ本体からなる物体を意味する。
【０００９】
「エレベータ昇降路」は本質的に、走行するために必ずしも昇降路壁が存在しない領域として、かごと釣合い重りとによって使用される空間として理解されるべきである。
【００１０】
本発明の好適な実施形態によれば補正手段は、二つ以上のブラシを備えている。吊り下がり補正手段はこれによって、数個の点で、および／または種々の方向にガイドされ得る。
【００１１】
この目的を特にうまく達成する本発明の更なる発展は、補正手段の反転部の領域において、多数のブラシが補正手段の偏向を補正手段の反転部の方向に直交する方向に、および／または補正手段の反転部の方向に、および／または鉛直方向に制限するように配置される多数のブラシを有する補正手段ガイドからなる。
【００１２】
補正手段のタイプとその長さ１メートル当りの重量とに依存して、種々の剛毛を有するブラシが使用される。０．３ｍｍから２ｍｍの剛毛直径と５ｍｍから１０ｍｍの剛毛の自由長さとが適当であることが判明している。
【００１３】
目的の達成において本発明の更なる実施形態は、昇降路空間内に、通常は昇降路の最下端部の領域に、または昇降路ピットの床上にブラシ保持器が恒久的に設置されることからなる。このブラシ保持器は、例えば形鋼フレームまたは板フレームの形で存在し、ブラシが適当な位置と方向にブラシ保持器に固定できるように構成される。
【００１４】
これらのブラシのうちの少なくとも一部が、ストリップブラシまたはラスブラシとしても知られるバー（棒）状ブラシとして構成されることは有利である。このようなブラシでは好適には剛毛は、本質的に平らな矩形の断面を有する長い角柱状のブラシ本体の細い側面に配置される。
【００１５】
本発明の特定の実施形態では、これらのブラシのうちの少なくとも一つは、いわゆる円筒形ブラシとして構成される。この実施形態では剛毛は、円筒形ブラシ本体に半径方向に挿入される。円筒形ブラシは、その反転部の凹状ゾーンにおける補正手段のためのガイドとして特に適している。円筒形ブラシはまた、完全な円筒形の単に一部として、例えば半円筒形の形で存在することもできる。
【００１６】
本発明の更なる実施形態によれば、この補正手段ガイドは、ブラシ保持器内で回転可能に、例えば転がり接触軸受けと組み合わせて保持される、円筒形ブラシを含むことができる。このような実施形態は、比較的高いガイド力が必要とされる点における摩擦雑音を防止するために特に適している。
【００１７】
この目的を特にうまく達成する更なる展開によれば、ブラシ本体は、ブラシ保持器の板状部分のエッジの領域においてブラシ本体を固定するために役立つ、または助けとなる溝または段差を有している。ブラシ本体をブラシ保持器に固定するために、ネジ、クリップ、ストラップ、ケーブル連結手段などといった追加の補助手段が使用される。
【００１８】
ブラシがこれらの剛毛の方向に、すなわち補正手段に向うように、またはそれから離れるように移動できるような仕方で、ブラシのブラシ本体がブラシ保持器に連結されることは好都合である。例えばブラシ本体の長い孔と組み合わせたネジファスナーまたはスプリングクリップを有するコネクタは、このような解決策のために適している。
【００１９】
ブラシの剛毛がプラスチックからなる、好適にはポリアミドまたはポリプロピレンからなるブラシが使用されることは好適である。しかしながら自然の剛毛、例えば馬毛の剛毛または豚の剛毛も使用できる。
【００２０】
剛毛材料と剛毛直径と剛毛長さの慎重な選択によって、補正手段ガイドの耐磨耗性と雑音発生と減衰特性は最適化できる。減衰特性は、ガイダンス領域の内外での補正手段の振動を防止または減衰するブラシの特性として理解されるべきである。
【００２１】
特にうまく目的を達成する本発明の実施形態は、昇降路の最下部領域において、釣合い重りによって占められる空間を昇降路空間の残り部分から分離する板状またはシート状の分離壁によって形成されるブラシ保持器からなる。このような分離壁は、昇降路の最下部領域（昇降路ピット）にいる保守作業員が、下降する釣合い重りによって損傷を受けることを防止するために、エレベータ法令によって要求されている。上記のようにエレベータかごと釣合い重りとの間に補正手段ループの形で吊り下げられて、昇降路の最下部領域に反転部を有する補正手段を有するエレベータの場合、この反転部は、分離壁の領域に位置する。したがって補正手段は、分離壁の開口部を通り抜けなくてはならない。この場合、上記の開口部の領域の分離壁が、補正手段をその反転部の領域においてガイドするブラシのためのブラシ保持器として使用されることは好都合である。
【００２２】
本発明の例示的実施形態は、添付の図面の参照によって下記に説明される。
【発明を実施するための最良の形態】
【００２３】
図１、２は各々、本発明によるエレベータ設備を示す。両図面には、エレベータ昇降路３内に設置されたエレベータかご１と釣合い重り２とが示されている。エレベータかご１と釣合い重り２は、これらが懸架手段４を介して牽引綱車６を有する駆動ユニット５によって、ここに図示されていないガイドレールに沿って垂直方向に移動させられるその懸架手段４から吊り下がっている。エレベータかご１と釣合い重り２との間には、その一方の端でそれぞれエレベータかご１と釣合い重り２とに固定されたループの形をした補正手段７が吊り下がっている。
【００２４】
図１、２には補正手段ガイド８．１、８．２の二つの変形が見られる。各々の場合にこれらは、反転部の方向と直交する方向に、反転部の方向に、また鉛直方向にその反転部７．１の領域において補正手段７をガイドする、すなわち補正手段７の意図する位置からの補正手段７の可能な偏向を制限する多数のブラシ１２．１、１２．２を有している。
【００２５】
図１に見られる補正手段ガイド８．１は、昇降路内に、または昇降路の床に固定されていてブラシ保持器の機能を果たすブラシフレーム９．１を含んでいる。補正手段ガイド８．１は、図３Ａに詳細図Ａとして拡大図示されており、図３Ａの参照により下記に更に詳細に説明される。
【００２６】
図２は、昇降路の下部領域において釣合い重り２によって占められる昇降路空間が、エレベータかご１によって占められる昇降路空間から恒久的に設置された分離壁９．２によって分離されるエレベータ設備を示す。一方の端で釣合い重り２に固定され、他方の端でエレベータかご１に固定された補正手段７が、これらの昇降路空間の一方から他方へ通り抜けることを可能にするために、分離壁９．２はエレベータ昇降路の床の上方に、通り抜け開口部９．２．１を有している。分離壁９．２は、すなわち特にいわゆる通り抜け開口部９．２．１の領域内のその部分は、図２に示す補正手段ガイド８．２の変形ではブラシ１２．１、１２．２のための保持器として使用される。補正手段ガイド８．２は、図４Ａに詳細図Ｂとして拡大図示されており、図４Ａの参照により更に下記で説明される。
【００２７】
図３Ａにおいて、図１にＡでマークされた図面の切抜き部分は、例えば昇降路の床にブラシ保持器として固定されたブラシフレーム９．１を含む補正手段ガイド８．１の詳細を目視できるようにするために拡大図示されている。図３Ｂは、図３Ａに示す補正手段ガイドの側面図である。例えばワイヤロープとして、または開放型ラウンドリンクチェーンとして、またはプラスチックで覆われたラウンドリンクチェーンとして、または高密度の合成材料による平ベルト型ベルトとして構成され得る補正手段７は、ブラシフレーム９．１の側面部分９．１．１、９．１．２に固定され、今後バーブラシ１２．１と呼ばれるバー状ブラシ１２．１間でこの補正手段７の反転部７．１の領域に吊り下がる。補正手段７の方に向けられた剛毛１３を有するこれらのバーブラシ１２．１は、その反転部の方向に直角な方向に補正手段７のガイダンスを与える。バーブラシ１２．１の長さは、エレベータの高さに依存する量の補正手段７の反転部７．１の垂直位置の変化が許容可能であるように設計される。
【００２８】
ブラシフレーム９．１の一方の側面部分９．１．１から反対に位置する側面部分９．１．２に延びていて、発生し得る補正手段７の如何なる振動も半径方向に向けられた剛毛１３によって制限し減衰する円筒形ブラシは、１２．２で参照される。高いガイド力が必要とされる場合、および／または摩擦雑音が抑制されなくてはならない場合、円筒形ブラシはまた、この目的のためにそれらの長手方向の軸の周りに回転可能に配置され、転がり接触軸受けを備えることもできる。
【００２９】
非回転円筒形ブラシ１２．２は、完全な円筒形として存在する必要はなく、すなわち図４Ａに示すような半円筒形でその機能を果たすこともできる。
【００３０】
図４Ａにおいて、図２にＢでマークされた図面の切抜き部分は、図２に示す補正手段ガイド８．２の変形の詳細を目視できるようにするために拡大図示されている。この補正手段ガイド８．２では、ブラシ保持器は、昇降路の最下部領域において、釣合い重りによって占められる昇降路空間をエレベータかごによって占められる昇降路空間から分離する、板状またはシート状分離壁９．２によって形成される。図４Ｂは、上記の分離壁９．２の平らな側面の方向から見た図４Ａに示す補正手段ガイドの側面図である。この分離壁９．２は、その下部領域に、すなわちエレベータかご１と釣合い重り２から吊り下がっている補正手段７の反転部７．１が位置する領域に、通り抜け開口部９．２．１を有している。この通り抜け開口部９．２．１の両側エッジの領域では、垂直に配置されたバーブラシ１２．１は、分離壁９．２に固定されており、バーブラシ１２．１の剛毛１３は、両側エッジ間に吊り下がる補正手段７の方に向けられている。これらのバーブラシ１２．１と補正手段７の反転部７．１の方向に直角な方向のガイダンスとによって、この方向の補正手段７の偏向と振動もまた、防止または減衰される。
【００３１】
通り抜け開口部９．２．１の上部エッジ１４には、半円筒形を形成し、その剛毛１３が補正手段７の反転部７．１の凹状部分の方に向けられている円筒形ブラシ１２．２が取り付けられる。円筒形ブラシ１２．２は、分離壁９．２の通り抜け開口部９．２．１の上記の上部エッジ１４の周りに補正手段７をガイドする機能を有しており、それによって垂直方向に発生する補正手段の如何なる振動およびジャンプも低減され減衰される。円筒形ブラシ１２．２はまた、その長手方向の軸の周りに回転可能であり、分離壁９．２に支持されることもできるであろう。
【００３２】
図３Ａ、図３Ｂ、図４Ａ、図４Ｂに示すブラシ１２．１、１２．２は、本質的に、少なくとも一つのバー状または円筒形のブラシ本体と、それに固定された異なる長さと厚さの剛毛１３とからなる。これらのブラシ本体を有するブラシは、ネジ、クリップ、ストラップ、ケーブル連結手段などによってブラシ保持器（ブラシフレーム９．１、分離壁９．２）に固定される。ブラシ本体とブラシ保持器との連結を向上させるために、これらは、図４Ａの円筒形ブラシに示すように、ブラシ本体がブラシ保持器のエッジにスナップ止めされることを可能にするスリットを、これらのブラシ本体に有することができる。ブラシ本体は例えば、長い孔を貫通するネジによって、または弾性クリップによって固定することができ、これらによってブラシは、ブラシと補正手段７との間に最適の距離を設定して剛毛の磨耗を補正できるように、補正手段７に向かって、またはそれから遠ざかるように移動できる。
【図面の簡単な説明】
【００３３】
【図１】本発明による補正手段と、ブラシを有する補正手段ガイドとを有するエレベータ設備の模式的横断面図である。
【図２】分離壁に統合された本発明による、補正手段と、釣合い重り空間と残りの昇降路空間との間の昇降路の最下部領域に存在する分離壁と、ブラシを有する補正手段ガイドと、を有するエレベータ設備の模式的横断面図である。
【図３Ａ】補正手段ガイドの詳細を有する図１の拡大切抜き図である。
【図３Ｂ】図３Ａに示す補正手段ガイドの側面図である。
【図４Ａ】分離壁に統合された補正手段ガイドの詳細を有する図２の拡大切抜き図である。
【図４Ｂ】上述の分離壁の平坦な側面の方向から見た図４Ａに示す補正手段ガイドの側面図である。
【符号の説明】
【００３４】
１  エレベータかご
２  釣合い重り
３  エレベータ昇降路
４  懸架手段
５  駆動ユニット
６  牽引綱車
７  補正手段
７．１  反転部
８．１、８．２  補正手段ガイド
９．１、９．２  ブラシ保持器（ブラシフレーム）
９．１．１、９．１．２  ブラシ保持器の側面部
９．２  分離壁
９．２．１  通り抜け開口部
１２．１  バーブラシ
１２．２  円筒形ブラシ
１３  剛毛
１４  通り抜け開口部の上部エッジ
【図１】
2005263491.tif 000003
【図２】
2005263491.tif 000004
【図３Ａ】
2005263491.tif 000005
【図３Ｂ】
2005263491.tif 000006
【図４Ａ】
2005263491.tif 000007
【図４Ｂ】
2005263491.tif 000008
【外国語明細書】
2005263491.tif 000009
2005263491.tif 000010
2005263491.tif 000011
2005263491.tif 000012
2005263491.tif 000013
2005263491.tif 000014
2005263491.tif 000015
2005263491.tif 000016
2005263491.tif 000017
2005263491.tif 000018
2005263491.tif 000019
2005263491.tif 000020
2005263491.tif 000021
2005263491.tif 000022
2005263491.tif 000023
2005263491.tif 000024
2005263491.tif 000025
2005263491.tif 000026
2005263491.tif 000027
2005263491.tif 000028